(57)【特許請求の範囲】
【請求項１】
像保持体から媒体に画像を転写する転写器と、
周期的にバイアスが変動する交番バイアスと、直流バイアスと、が重畳された転写バイアスを前記転写器に印加する電源制御手段と、  
前記交番バイアスの振幅の極大値と極小値との差である振幅値と、前記直流バイアス値とにおいて、前記振幅値および直流バイアス値の一方を固定の第１の単色用の値とし、且つ、他方を予め設定された間隔で変更する度に、第１の単色画像を媒体に形成する第１の単色画像の形成手段と、
前記振幅値および直流バイアス値の一方を固定の第１の多色用の値とし、且つ、他方を予め設定された間隔で変更する度に、第１の多色画像を媒体に形成する第１の多色画像の形成手段と、
前記第１の単色画像を形成する場合における前記振幅値および直流バイアス値の一方を、前記第１の単色用の値とは異なる固定の第２の単色用の値とし、且つ、前記第１の単色画像を形成する際の前記振幅値及び直流バイアス値の他方を予め設定された間隔で変更する度に、第２の単色画像を媒体に形成する第２の単色画像の形成手段と、
前記第１の多色画像を形成する場合における前記振幅値および直流バイアス値の一方を、前記第１の多色用の値とは異なる固定の第２の多色用の値とし、且つ、前記第１の多色画像を形成する際の前記振幅値及び直流バイアス値の他方を予め設定された間隔で変更する度に、第２の多色画像を媒体に形成する第２の多色画像の形成手段と、
前記第１の単色画像の形成手段で形成された複数の第１の単色画像の中から、画質が許容される限界の第１の単色画像に対応する振幅値および直流バイアス値を有する第１の単色値を入力する画像と、前記第１の多色画像の形成手段で形成された複数の第１の多色画像の中から、画質が許容される限界の第１の多色画像に対応する振幅値および直流バイアス値を有する第１の多色値を入力する画像と、前記第２の単色画像の形成手段で形成された複数の第２の単色画像の中から、画質が許容される限界の第２の単色画像に対応する振幅値および直流バイアス値を有する第２の単色値を入力する画像と、前記第２の多色画像の形成手段で形成された複数の第２の多色画像の中から、画質が許容される限界の第２の多色画像に対応する振幅値および直流バイアス値を有する第２の多色値を入力する画像とを、表示部に表示する入力画像の表示手段と、
利用者が入力可能な入力部と、
前記振幅値と前記直流バイアス値とのグラフにおいて、前記入力部により入力された前記第１の単色値と前記第２の単色値とを結ぶ単色直線よりもグラフの原点側の領域と、前記入力部により入力された前記第１の多色値と前記第２の多色値とを結ぶ多色直線よりも前記原点とは反対側の領域と、に囲まれ、且つ、前記単色直線と前記多色直線との交点に基いて、前記転写器に印加する交番バイアスの波形形状および直流バイアス値を設定する転写電圧の設定手段と、
を備えたことを特徴とする画像形成装置。
【請求項２】
１枚の媒体に前記第１の単色画像と第１の多色画像とを形成する前記第１の単色画像の形成手段及び前記第１の多色画像の形成手段と、
前記第１の単色画像と第１の多色画像とが形成された１枚の媒体が出力された場合に、前記第１の単色値を入力する画像と、前記第１の多色値を入力する画像と、を表示する前記入力画像の表示手段と、
を備えたことを特徴とする請求項１に記載の画像形成装置。
【請求項３】
１枚の媒体に前記第１の単色画像と第１の多色画像とを形成する前記第１の単色画像の形成手段及び前記第１の多色画像の形成手段と、
前記第１の単色画像と第１の多色画像とが形成された１枚の媒体が出力された場合に、前記第１の単色値を入力する画像と、前記第１の多色値を入力する画像と、を表示する前記入力画像の表示手段と、
前記第１の単色値と前記第１の多色値とが入力された場合に、１枚の媒体に前記第２の単色画像と第２の多色画像とを形成する前記第２の単色画像の形成手段及び前記第２の多色画像の形成手段と、
前記第２の単色画像と第２の多色画像とが形成された１枚の媒体が出力された場合に、前記第２の単色値を入力する画像と、前記第２の多色値を入力する画像と、を表示する前記入力画像の表示手段と、
を備えたことを特徴とする請求項１に記載の画像形成装置。
【請求項４】
１枚の媒体に前記第１の単色画像と第１の多色画像とを形成する前記第１の単色画像の形成手段及び前記第１の多色画像の形成手段と、
前記第１の単色画像と前記第１の多色画像とが形成された媒体が出力された後に、１枚の媒体に前記第２の単色画像と第２の多色画像とを形成する前記第２の単色画像の形成手段及び前記第２の多色画像の形成手段と、
を備えたことを特徴とする請求項１に記載の画像形成装置。
【請求項５】
１枚の媒体に、前記第１の単色画像、第１の多色画像、第２の単色画像および第２の多色画像を形成する
ことを特徴とする請求項１に記載の画像形成装置。
【請求項６】
予め設定された第１の振幅値に前記振幅値を固定し、直流バイアス値を予め設定されたバイアス値の間隔で変更する度に、単色の画像を形成する前記第１の単色画像の形成手段と、
前記第１の振幅値に前記振幅値を固定し、直流バイアス値を予め設定された電圧値の間隔で変更する度に、多色の画像を形成する前記第１の多色画像の形成手段と、
前記第１の振幅値とは異なる予め設定された第２の振幅値に前記振幅値を固定し、直流バイアス値を予め設定されたバイアス値の間隔で変更する度に、単色の画像を形成する前記第２の単色画像の形成手段と、
前記第２の振幅値に前記振幅値を固定し、直流バイアス値を予め設定されたバイアス値の間隔で変更する度に、多色の画像を形成する前記第２の多色画像の形成手段と、
を備えたことを特徴とする請求項１ないし５のいずれかに記載の画像形成装置。
【請求項７】
交番バイアスと直流バイアスが重畳され、転写器に印加される転写バイアスを設定する転写バイアスの設定方法であって、
交番バイアスの振幅の極大値と極小値との差である振幅値と、直流バイアスの値とにおいて、前記振幅値および直流バイアス値の一方を固定の値とし且つ他方を予め設定された間隔で変更する度に形成された単色および多色の画像の中から、画質が許容される限界の各画像に対応する振幅値および直流バイアス値を有する第１の単色値および第１の多色値を取得し、
前記第１の単色値の場合における前記振幅値および直流バイアスの一方を、前記第１の単色値の場合における固定の値とは異なる固定の値とし、且つ、他方を予め設定された間隔で変更する度に形成された単色および多色の画像の中から、画質が許容される限界の各画像に対応する振幅値および直流バイアス値を有する第２の単色値および第２の多色値を取得し、
前記振幅値と前記直流バイアス値とのグラフにおいて、前記第１の単色値と前記第２の単色値とを結ぶ単色直線よりもグラフの原点側の領域と、前記第１の多色値と前記第２の多色値とを結ぶ多色直線よりも前記原点とは反対側の領域と、に囲まれ、且つ、前記単色直線と前記多色直線との交点に基いて、前記転写器に印加する交番バイアスの波形形状および直流バイアス値を設定する
ことを特徴とする転写電圧の設定方法。 
【発明の詳細な説明】
【技術分野】
【０００１】
本発明は、画像形成装置および転写電圧の設定方法に関する。
【背景技術】
【０００２】
従来の画像形成装置に関し、以下の特許文献１，２に記載の技術が知られている。
特許文献１としての特開２０１２−１２３３０９号公報や特許文献２としての特開２０１２−４２８２７号公報には、和紙のような表面の凸凹が大きな媒体を使用して、直流電圧値（Ｖｏｆｆ）および交流電圧のピーク間電圧値（Ｖｐｐ）を両方共に変更しながら、テスト画像としての黒ベタ画像を印刷し、凹部濃度再現性と、凸部濃度再現性、白点出現性を評価する技術が記載されている。特許文献１に記載の技術では、凹部濃度再現性から導出される直線（Ｌ１）と、凸部濃度再現性から導出される直線（Ｌ２）と、白点出現性から導出される直線（Ｌ３）とから、これらの直線で囲まれる範囲から直流電圧値とピーク間電圧値を設定している。
【０００３】
また、特許文献１には、まず、ピーク間電圧値（Ｖｐｐ）を固定した状態で、直流電圧値（Ｖｏｆｆ）を変化させながら画像を印刷して、印刷された画像から直流電圧の適正値を特定した後、直流電圧値を特定された適正値に固定した状態で、ピーク間電圧値（Ｖｐｐ）を変化させながら画像を印刷して、印刷された画像からピーク間電圧値（Ｖｐｐ）の適正値を特定する技術も記載されている。
【先行技術文献】
【特許文献】
【０００４】
【特許文献１】特開２０１２−１２３３０９号公報（「００５９」〜「００７４」、「０１０２」〜「０１１２」、図７）
【特許文献２】特開２０１２−４２８２７号公報（「００４７」〜「００６６」、図９）
【発明の概要】
【発明が解決しようとする課題】
【０００５】
本発明は、転写バイアスの適切な値を、簡易な方法で設定することを技術的課題とする。
【課題を解決するための手段】
【００１１】
前記技術的課題を解決するために、請求項１に記載の発明の画像形成装置は、
像保持体から媒体に画像を転写する転写器と、
周期的にバイアスが変動する交番バイアスと、直流バイアスと、が重畳された転写バイアスを前記転写器に印加する電源制御手段と、  
前記交番バイアスの振幅の極大値と極小値との差である振幅値と、前記直流バイアス値とにおいて、前記振幅値および直流バイアス値の一方を固定の第１の単色用の値とし、且つ、他方を予め設定された間隔で変更する度に、第１の単色画像を媒体に形成する第１の単色画像の形成手段と、
前記振幅値および直流バイアス値の一方を固定の第１の多色用の値とし、且つ、他方を予め設定された間隔で変更する度に、第１の多色画像を媒体に形成する第１の多色画像の形成手段と、
前記第１の単色画像を形成する場合における前記振幅値および直流バイアス値の一方を、前記第１の単色用の値とは異なる固定の第２の単色用の値とし、且つ、前記第１の単色画像を形成する際の前記振幅値及び直流バイアス値の他方を予め設定された間隔で変更する度に、第２の単色画像を媒体に形成する第２の単色画像の形成手段と、
前記第１の多色画像を形成する場合における前記振幅値および直流バイアス値の一方を、前記第１の多色用の値とは異なる固定の第２の多色用の値とし、且つ、前記第１の多色画像を形成する際の前記振幅値及び直流バイアス値の他方を予め設定された間隔で変更する度に、第２の多色画像を媒体に形成する第２の多色画像の形成手段と、
前記第１の単色画像の形成手段で形成された複数の第１の単色画像の中から、画質が許容される限界の第１の単色画像に対応する振幅値および直流バイアス値を有する第１の単色値を入力する画像と、前記第１の多色画像の形成手段で形成された複数の第１の多色画像の中から、画質が許容される限界の第１の多色画像に対応する振幅値および直流バイアス値を有する第１の多色値を入力する画像と、前記第２の単色画像の形成手段で形成された複数の第２の単色画像の中から、画質が許容される限界の第２の単色画像に対応する振幅値および直流バイアス値を有する第２の単色値を入力する画像と、前記第２の多色画像の形成手段で形成された複数の第２の多色画像の中から、画質が許容される限界の第２の多色画像に対応する振幅値および直流バイアス値を有する第２の多色値を入力する画像とを、表示部に表示する入力画像の表示手段と、
利用者が入力可能な入力部と、
前記振幅値と前記直流バイアス値とのグラフにおいて、前記入力部により入力された前記第１の単色値と前記第２の単色値とを結ぶ単色直線よりもグラフの原点側の領域と、前記入力部により入力された前記第１の多色値と前記第２の多色値とを結ぶ多色直線よりも前記原点とは反対側の領域と、に囲まれ、且つ、前記単色直線と前記多色直線との交点に基いて、前記転写器に印加する交番バイアスの波形形状および直流バイアス値を設定する転写電圧の設定手段と、
を備えたことを特徴とする。
【００１２】
請求項２に記載の発明は、請求項１に記載の画像形成装置において、
１枚の媒体に前記第１の単色画像と第１の多色画像とを形成する前記第１の単色画像の形成手段及び前記第１の多色画像の形成手段と、
前記第１の単色画像と第１の多色画像とが形成された１枚の媒体が出力された場合に、前記第１の単色値を入力する画像と、前記第１の多色値を入力する画像と、を表示する前記入力画像の表示手段と、
を備えたことを特徴とする。
【００１３】
請求項３に記載の発明は、請求項１に記載の画像形成装置において、
１枚の媒体に前記第１の単色画像と第１の多色画像とを形成する前記第１の単色画像の形成手段及び前記第１の多色画像の形成手段と、
前記第１の単色画像と第１の多色画像とが形成された１枚の媒体が出力された場合に、前記第１の単色値を入力する画像と、前記第１の多色値を入力する画像と、を表示する前記入力画像の表示手段と、
前記第１の単色値と前記第１の多色値とが入力された場合に、１枚の媒体に前記第２の単色画像と第２の多色画像とを形成する前記第２の単色画像の形成手段及び前記第２の多色画像の形成手段と、
前記第２の単色画像と第２の多色画像とが形成された１枚の媒体が出力された場合に、前記第２の単色値を入力する画像と、前記第２の多色値を入力する画像と、を表示する前記入力画像の表示手段と、
を備えたことを特徴とする。
【００１４】
請求項４に記載の発明は、請求項１に記載の画像形成装置において、
１枚の媒体に前記第１の単色画像と第１の多色画像とを形成する前記第１の単色画像の形成手段及び前記第１の多色画像の形成手段と、
前記第１の単色画像と前記第１の多色画像とが形成された媒体が出力された後に、１枚の媒体に前記第２の単色画像と第２の多色画像とを形成する前記第２の単色画像の形成手段及び前記第２の多色画像の形成手段と、
を備えたことを特徴とする。
【００１５】
請求項５に記載の発明は、請求項１に記載の画像形成装置において、
１枚の媒体に、前記第１の単色画像、第１の多色画像、第２の単色画像および第２の多色画像を形成する
ことを特徴とする。
【００１６】
請求項６に記載の発明は、請求項１ないし５のいずれかに記載の画像形成装置において、
予め設定された第１の振幅値に前記振幅値を固定し、直流バイアス値を予め設定されたバイアス値の間隔で変更する度に、単色の画像を形成する前記第１の単色画像の形成手段と、
前記第１の振幅値に前記振幅値を固定し、直流バイアス値を予め設定された電圧値の間隔で変更する度に、多色の画像を形成する前記第１の多色画像の形成手段と、
前記第１の振幅値とは異なる予め設定された第２の振幅値に前記振幅値を固定し、直流バイアス値を予め設定されたバイアス値の間隔で変更する度に、単色の画像を形成する前記第２の単色画像の形成手段と、
前記第２の振幅値に前記振幅値を固定し、直流バイアス値を予め設定されたバイアス値の間隔で変更する度に、多色の画像を形成する前記第２の多色画像の形成手段と、
を備えたことを特徴とする。
【００１７】
前記技術的課題を解決するために、請求項７に記載の発明の転写電圧の設定方法は、
交番バイアスと直流バイアスが重畳され、転写器に印加される転写バイアスを設定する転写バイアスの設定方法であって、
交番バイアスの振幅の極大値と極小値との差である振幅値と、直流バイアスの値とにおいて、前記振幅値および直流バイアス値の一方を固定の値とし且つ他方を予め設定された間隔で変更する度に形成された単色および多色の画像の中から、画質が許容される限界の各画像に対応する振幅値および直流バイアス値を有する第１の単色値および第１の多色値を取得し、
前記第１の単色値の場合における前記振幅値および直流バイアスの一方を、前記第１の単色値の場合における固定の値とは異なる固定の値とし、且つ、他方を予め設定された間隔で変更する度に形成された単色および多色の画像の中から、画質が許容される限界の各画像に対応する振幅値および直流バイアス値を有する第２の単色値および第２の多色値を取得し、
前記振幅値と前記直流バイアス値とのグラフにおいて、前記第１の単色値と前記第２の単色値とを結ぶ単色直線よりもグラフの原点側の領域と、前記第１の多色値と前記第２の多色値とを結ぶ多色直線よりも前記原点とは反対側の領域と、に囲まれ、且つ、前記単色直線と前記多色直線との交点に基いて、前記転写器に印加する交番バイアスの波形形状および直流バイアス値を設定する 
ことを特徴とする。
【発明の効果】
【００１９】
請求項１，７に記載の発明によれば、直流電圧値と交番電圧の振幅幅を網羅的に測定したり、直流電圧値の適正値を導出した後に直流電圧値の適正値を使用して振幅幅の適正値を導出したりする場合に比べて、第１の単色値と前記第２の単色値とを結ぶ単色直線と、第１の多色値と第２の多色値とを結ぶ多色直線に基いて転写電圧を設定して、転写バイアスの適切な値を簡易な方法で設定することができる。
請求項２に記載の発明によれば、媒体が出力されると各値を入力する画像が表示され、作業者の入力作業を円滑に行うことができる。
【００２０】
請求項３に記載の発明によれば、第１の単色画像と第１の多色画像とが形成された媒体が出力された場合に、第１の単色値と第１の多色値が入力される前に、第２の単色画像と第２の多色画像とが形成された媒体が出力される場合に比べて、作業者の誤入力が低減される。
請求項４に記載の発明によれば、第１の単色画像と第１の多色画像とが形成された媒体が出力された後に、第２の単色画像と第２の多色画像とが形成された媒体を出力することができる。
【００２１】
請求項５に記載の発明によれば、１枚の媒体に４種の画像を印刷しない場合に比べて、使用する媒体の枚数を減らすことができる。
請求項６に記載の発明によれば、各振幅値に固定した状態で直流バイアス値が変更された画像を形成することができる。
【図面の簡単な説明】
【００２２】
【図１】図１は本発明の実施例１の画像形成装置の全体説明図である。
【図２】図２は本発明の実施例１の画像形成装置の要部の説明図である。
【図３】図３は実施例１の転写装置の要部説明図である。
【図４】図４は実施例１の画像形成装置の制御部分が備えている各機能をブロック図で示した図である。
【図５】図５は実施例１の転写電圧の設定用の画像の説明図である。
【図６】図６は実施例１の入力画像の説明図である。
【図７】図７は実施例１の転写電圧の設定方法の説明図である。
【図８】図８は実施例１の転写電圧設定処理のフローチャートの説明図である。
【図９】図９は従来の転写電圧の設定方法の説明図である。
【図１０】図１０は実験結果の説明図である。
【図１１】図１１は実施例２の画像形成装置の制御部の説明図であり、実施例１の図４に対応する図である。
【図１２】図１２は交番電圧の説明図であり、図１２Ａは実施例２で使用する矩形波状の交番電圧の説明図、図１２Ｂは実施例１で使用した正弦波状の交番電圧の説明図、図１２Ｃは三角波の説明図、図１２Ｄはノコギリ波の説明図である。
【発明を実施するための形態】
【００２３】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２４】
（実施例１のプリンタＵの全体構成の説明）
図１は本発明の実施例１の画像形成装置の全体説明図である。
図２は本発明の実施例１の画像形成装置の要部の説明図である。
図１、図２において、実施例１の画像形成装置の一例としてのプリンタＵは、プリンタの本体Ｕ１と、プリンタの本体Ｕ１に媒体を供給する供給装置の一例としてのフィーダーユニットＵ２と、画像が記録された媒体が排出される排出装置の一例としての排出ユニットＵ３と、プリンタの本体Ｕ１と排出ユニットＵ３との間を接続する接続部の一例としてのインターフェースモジュールＵ４と、利用者が操作を行う操作部ＵＩと、を有する。
【００２５】
（実施例１のマーキングの構成の説明）
図１、図２において、前記プリンタの本体Ｕ１は、プリンタＵの制御を行う制御部Ｃや、プリンタＵの外部に図示しない専用のケーブルを介して接続された情報の送信装置の一例としてのプリント画像サーバＣＯＭから送信された画像情報を受信する図示しない通信部、媒体に画像を記録する画像記録部の一例としてのマーキング部Ｕ１ａ等を有する。前記プリント画像サーバＣＯＭには、ケーブルまたはＬＡＮ：Local  Area  Network等の回線を通じて接続され、プリンタＵで印刷される画像の情報が送信される画像の送信装置の一例としてのパーソナルコンピュータＰＣが接続されている。
前記マーキング部Ｕ１ａは、像保持体の一例としてＹ：イエロー、Ｍ：マゼンタ、Ｃ：シアン、Ｋ：黒の各色用の感光体Ｐｙ，Ｐｍ，Ｐｃ，Ｐｋと、写真画像等を印刷する場合に画像に光沢を出すための透明画像用の感光体Ｐｏと、を有する。感光体Ｐｙ〜Ｐｏは、表面が感光性の誘電体で構成されている。
【００２６】
図１、図２において、黒色の感光体Ｐｋの周囲には、感光体Ｐｋの回転方向に沿って、帯電器ＣＣｋ、潜像の形成装置の一例としての露光機ＲＯＳｋ、現像器Ｇｋ、一次転写器の一例としての一次転写ロールＴ１ｋ、像保持体用の清掃器の一例としての感光体クリーナＣＬｋが配置されている。
他の感光体Ｐｙ，Ｐｍ，Ｐｃ，Ｐｏの周囲にも同様に、帯電器ＣＣｙ，ＣＣｍ，ＣＣｃ，ＣＣｏ、露光機ＲＯＳｙ，ＲＯＳｍ，ＲＯＳｃ，ＲＯＳｏ、現像器Ｇｙ，Ｇｍ，Ｇｃ，Ｇｏ、一次転写ロールＴ１ｙ，Ｔ１ｍ，Ｔ１ｃ，Ｔ１ｏ、感光体クリーナＣＬｙ，ＣＬｍ，ＣＬｃ，ＣＬｏが配置されている。
マーキング部Ｕ１ａの上部には、収容容器の一例として、現像器Ｇｙ〜Ｇｏに補給される現像剤が収容されたトナーカートリッジＫｙ，Ｋｍ，Ｋｃ，Ｋｋ，Ｋｏが着脱可能に支持されている。
【００２７】
各感光体Ｐｙ〜Ｐｏの下方には、中間転写体の一例であって、像保持体の一例としての中間転写ベルトＢが配置されており、中間転写ベルトＢは、感光体Ｐｙ〜Ｐｏと一次転写ロールＴ１ｙ〜Ｔ１ｏとの間に挟まれる。中間転写ベルトＢの裏面は、駆動部材の一例としてのドライブロールＲｄと、張力付与部材の一例としてのテンションロールＲｔと、蛇行防止部材の一例としてのウォーキングロールＲｗと、従動部材の一例としての複数のアイドラロールＲｆと、二次転写用の対向部材の一例としてのバックアップロールＴ２ａと、可動部材の一例としての複数のリトラクトロールＲ１と、前記一次転写ロールＴ１ｙ〜Ｔ１ｏにより支持されている。
中間転写ベルトＢの表面には、ドライブロールＲｄの近傍に、中間転写体の清掃器の一例としてのベルトクリーナＣＬＢが配置されている。
【００２８】
バックアップロールＴ２ａには、中間転写ベルトＢを挟んで、二次転写部材の一例としての二次転写ロールＴ２ｂが対向して配置されている。また、バックアップロールＴ２ａには、バックアップロールＴ２ａに現像剤の帯電極性とは逆極性の電圧を印加するために、接触部材の一例としてのコンタクトロールＴ２ｃが接触している。実施例１の二次転写ロールＴ２ｂには、右下方に配置された駆動部材の一例としての駆動ロールＴ２ｄとの間に、搬送部材の一例としての搬送ベルトＴ２ｅが張架されている。
前記バックアップロールＴ２ａ、二次転写ロールＴ２ｂ、コンタクトロールＴ２ｃにより、転写器の一例としての２次転写器Ｔ２が構成されており、一次転写ロールＴ１ｙ〜Ｔ１ｏ、中間転写ベルトＢ、２次転写器Ｔ２等により、実施例１の転写装置Ｔ１，Ｂ，Ｔ２が構成されている。
【００２９】
２次転写器Ｔ２の下方には、媒体の一例としての記録シートＳが収容される収容部の一例として給紙トレイＴＲ１，ＴＲ２が設けられている。各給紙トレイＴＲ１，ＴＲ２の右斜め上方には、取出部材の一例としてのピックアップロールＲｐと、捌き部材の一例としての捌きロールＲｓとが配置されている。捌きロールＲｓから、記録シートＳが搬送される搬送路ＳＨが延びており、搬送路ＳＨに沿って、記録シートＳを下流側に搬送する搬送部材の一例としての搬送ロールＲａが複数配置されている。
２つの給紙トレイＴＲ１，ＴＲ２からの搬送路ＳＨが合流した位置に対して記録シートＳの搬送方向の下流側には、不要部の除去装置の一例として、記録シートＳを予め設定された圧力で挟んで下流側に搬送して、記録シートＳの縁の不要部の除去、いわゆる、バリ取りを行うバリ取り装置Ｂｔが配置されている。
【００３０】
バリ取り装置Ｂｔの下流側には、通過する記録シートＳの厚みを計測して、記録シートＳが複数枚重なっている状態、いわゆる重送を検知するための検知装置Ｊｋが配置されている。重送の検知装置Ｊｋの下流側には、姿勢の補正装置の一例として、記録シートＳの搬送方向に対する傾斜、いわゆるスキューを補正する補正ロールＲｃが配置されている。補正ロールＲｃの下流側には、２次転写器Ｔ２への記録シートＳの搬送時期を調整する調整部材の一例としてのレジストレーションロールＲｒが配置されている。
なお、フィーダーユニットＵ２にも、給紙トレイＴＲ１，ＴＲ２やピックアップロールＲｐ、捌きロールＲｓ、搬送ロールＲａと同様に構成された給紙トレイＴＲ３，ＴＲ４等が設けられており、給紙トレイＴＲ３，ＴＲ４からの搬送路ＳＨは、プリンタの本体Ｕ１の搬送路ＳＨに、重送の検知装置Ｊｋの上流側で合流する。
【００３１】
搬送ベルトＴ２ｅに対して、記録シートＳの搬送方向の下流側には、媒体の搬送装置の一例としての搬送ベルトＨＢが複数配置されている。
搬送ベルトＨＢに対して、記録シートＳの搬送方向の下流側には、定着装置Ｆが配置されている。
定着装置Ｆの下流側には、記録シートＳを冷却する冷却装置Ｃｏが配置されている。
冷却装置Ｃｏの下流側には、記録シートＳに圧力を加えて、記録シートＳの湾曲、いわゆるカールを補正するデカーラーＨｄが配置されている。
デカーラーＨｄの下流側には、記録シートＳに記録された画像を読み取る画像読取装置Ｓｃが配置されている。
【００３２】
画像読取装置Ｓｃの下流側には、インターフェースモジュールＵ４に向けて延びる搬送路ＳＨから分岐する搬送路の一例としての反転路ＳＨ２が形成されており、反転路ＳＨ２の分岐部には、搬送方向の切替部材の一例としての第１のゲートＧＴ１が配置されている。
反転路ＳＨ２には、正逆回転可能な搬送部材の一例としてのスイッチバックロールＲｂが複数配置されている。スイッチバックロールＲｂの上流側には、反転路ＳＨ２の上流部から分岐して、搬送路ＳＨと反転路ＳＨ２との分岐部よりも下流側に合流する搬送路の一例としての接続路ＳＨ３が形成されている。反転路ＳＨ２と接続路ＳＨ３との分岐部には、搬送方向の切替部材の一例としての第２のゲートＧＴ２が配置されている。
【００３３】
前記反転路ＳＨ２の下流側には、冷却装置Ｃｏの下方に、記録シートＳの搬送方向を反転、いわゆる、スイッチバックさせるための折り返し路ＳＨ４が配置されている。折り返し路ＳＨ４には、正逆回転可能な搬送部材の一例としてのスイッチバックロールＲｂが配置されている。また、折り返し路ＳＨ４の入口には、搬送方向の切替部材の一例としての第３のゲートＧＴ３が配置されている。
なお、折り返し路ＳＨ４の下流側の搬送路ＳＨは、各給紙トレイＴＲ１，ＴＲ２の搬送路ＳＨに合流している。
【００３４】
インターフェースモジュールＵ４には、排出ユニットＵ３に向けて延びる搬送路ＳＨが形成されている。
排出ユニットＵ３には、排出される記録シートＳが積載される積載容器の一例としてのスタッカトレイＴＲｈが配置されており、搬送路ＳＨから分岐してスタッカトレイＴＲｈに延びる排出路ＳＨ５が設けられている。なお、実施例１の搬送路ＳＨは、排出ユニットＵ３の右方に、図示しない追加の排出ユニットや後処理装置が追加して装着された場合に、追加された装置に対して記録シートＳが搬送可能に構成されている。
【００３５】
（マーキングの動作）
前記プリンタＵでは、パーソナルコンピュータＰＣから送信された画像情報を、プリント画像サーバＣＯＭを介して受信すると、画像形成動作であるジョブが開始される。ジョブが開始されると、感光体Ｐｙ〜Ｐｏや中間転写ベルトＢ等が回転する。
感光体Ｐｙ〜Ｐｏは、図示しない駆動源により回転駆動される。
帯電器ＣＣｙ〜ＣＣｏは、予め設定された電圧が印加されて、感光体Ｐｙ〜Ｐｏの表面を帯電させる。
露光機ＲＯＳｙ〜ＲＯＳｏは、制御部Ｃからの制御信号に応じて、潜像を書き込む光の一例としてのレーザー光Ｌｙ，Ｌｍ，Ｌｃ，Ｌｋ，Ｌｏを出力して、感光体Ｐｙ〜Ｐｏの帯電された表面に静電潜像を書き込む。
現像器Ｇｙ〜Ｇｏは、感光体Ｐｙ〜Ｐｏの表面の静電潜像を可視像に現像する。
トナーカートリッジＫｙ〜Ｋｏは、現像器Ｇｙ〜Ｇｏにおける現像に伴って消費された現像剤の補給を行う。
【００３６】
一次転写ロールＴ１ｙ〜Ｔ１ｏは、現像剤の帯電極性とは逆極性の一次転写電圧が印加され、感光体Ｐｙ〜Ｐｏの表面の可視像を中間転写ベルトＢの表面に転写する。
感光体クリーナＣＬｙ〜ＣＬｏは、一次転写後に感光体Ｐｙ〜Ｐｏの表面に残留した現像剤を除去して清掃する。
中間転写ベルトＢは、感光体Ｐｙ〜Ｐｏに対向する一次転写領域を通過する際に、Ｏ，Ｙ，Ｍ，Ｃ，Ｋの順に、画像が転写されて積層され、２次転写器Ｔ２に対向する２次転写領域Ｑ４を通過する。なお、単色画像の場合は、１色のみの画像が転写されて２次転写領域Ｑ４に送られる。
【００３７】
ピックアップロールＲｐは、受信した画像情報の大きさや記録シートＳの指定と、収容された記録シートＳの大きさや種類等に応じて、記録シートＳの供給が行われる給紙トレイＴＲ１〜ＴＲ４から記録シートＳを送り出す。
捌きロールＲｓは、ピックアップロールＲｐから送り出された記録シートＳを１枚ずつ分離して捌く。
バリ取り装置Ｂｔは、通過する記録シートＳに予め設定された圧力を印加してバリを除去する。
重送の検知装置Ｊｋは、通過する記録シートＳの厚さを検知することで、記録シートＳの重送を検知する。
補正ロールＲｃは、通過する記録シートＳを、図示しない壁面に接触させてスキューを補正する。
レジストレーションロールＲｒは、中間転写ベルトＢの表面の画像が２次転写領域Ｑ４に送られる時期に合わせて、記録シートＳを送り出す。
【００３８】
２次転写器Ｔ２は、コンタクトロールＴ２ｃを介してバックアップロールＴ２ａに予め設定された現像剤の帯電極性と同極性の２次転写電圧が印加され、記録シートＳに中間転写ベルトＢの画像を記録シートＳに転写する。
ベルトクリーナＣＬＢは、２次転写領域Ｑ４で画像が転写された後の中間転写ベルトＢの表面に残留した現像剤を除去して清掃する。
搬送ベルトＴ２ｅ，ＨＢは、２次転写器Ｔ２で画像が転写された記録シートＳを表面に保持して下流側に搬送する。
【００３９】
定着装置Ｆは、加熱部材の一例としての加熱ロールＦｈと、加圧部材の一例としての加圧ロールＦｐとを有し、加熱ロールＦｈの内部には、熱源の一例としてのヒータが収容されている。定着装置Ｆは、加熱ロールＦｈと加圧ロールＦｐとが接触する領域を通過する記録シートＳを加圧しながら加熱して、記録シートＳの表面の未定着画像を定着する。
冷却装置Ｃｏは、定着装置Ｆで加熱された記録シートＳを冷却する。
デカーラーＨｄは、冷却装置Ｃｏを通過した記録シートＳに圧力を加えて、記録シートＳの湾曲、いわゆるカールを除去する。
画像読取装置Ｓｃは、デカーラーＨｄを通過した記録シートＳの表面の画像を読み取る。
【００４０】
デカーラーＨｄを通過した記録シートＳは、両面印刷が行われる場合には、第１のゲートＧＴ１が作動して、反転路ＳＨ２に搬送され、折り返し路ＳＨ４でスイッチバックされて、搬送路ＳＨを通じて、レジストレーションロールＲｒに再送され、２面目の印刷が行われる。
排出ユニットＵ３に排出される記録シートＳは、搬送路ＳＨを搬送され、スタッカトレイＴＲｈに排出される。このとき、記録シートＳの表裏が反転された状態でスタッカトレイＴＲｈに排出される場合、搬送路ＳＨから反転路ＳＨ２に一旦搬入され、記録シートＳの搬送方向の後端が第２のゲートＧＴ２を通過後、第２のゲートＧＴ２が切り替わってスイッチバックロールＲｂが逆回転をして、接続路ＳＨ３を搬送されてスタッカトレイＴＲｈに搬送される。
スタッカトレイＴＲｈは、記録シートＳが積載され、記録シートＳの積載量に応じて、最上面が予め設定された高さとなるように、積載板ＴＲｈ１が自動的に昇降する。
【００４１】
（転写装置の説明）
図３は実施例１の転写装置の要部説明図である。
図３において、実施例１の転写部材の一例としての２次転写器Ｔ２では、転写用の電源回路Ｅｃは、交流電圧回路１と、直流電圧回路２とを有する。交流電圧回路１と直流電圧回路２とは直列に接続されており、コンタクトロールＴ２ｃには、転写バイアスの一例としての２次転写電圧が印加される。実施例１の２次転写電圧は、交番バイアスの一例としての交流電圧と、直流バイアスの一例としての直流電圧と、が重畳されている。
なお、実施例１の交流電圧回路１は、交流電圧の極大値と極小値との振幅、いわゆるピーク間電圧値Ｖｐｐと周波数とを変更可能に構成されている。また、実施例１の直流電圧回路２は、直流電圧値Ｖｄｃを変更可能に構成されている。
【００４２】
（実施例１の制御部の説明）
図４は実施例１の画像形成装置の制御部分が備えている各機能をブロック図で示した図である。
図４において、プリンタの本体Ｕ１の制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００４３】
（プリンタの本体Ｕ１の制御部Ｃに接続された信号出力要素）
前記プリンタの本体Ｕ１の制御部Ｃは、操作部ＵＩや画像読取装置Ｓｃ等の信号出力要素からの出力信号が入力されている。
操作部ＵＩは、電源の投入部の一例としての電源ボタンＵＩ１や、表示部の一例としての表示パネルＵＩ２、入力部の一例としての数字入力部ＵＩ３、矢印入力部ＵＩ４、転写電圧の設定開始の入力部材の一例としての転写電圧の設定開始ボタンＵＩ５等を備えている。
【００４４】
（プリンタの本体Ｕ１の制御部Ｃに接続された被制御要素）
プリンタの本体Ｕ１の制御部Ｃは、主駆動源の駆動回路Ｄ１や、電源回路Ｅ、その他の図示しない制御要素に接続されている。制御部Ｃは、各回路Ｄ１，Ｅ等へ、それらの制御信号を出力している。
Ｄ１：主駆動源の駆動回路
主駆動源の駆動回路Ｄ１は、主駆動源の一例としてのメインモータＭ１を介して感光体Ｐｙ〜Ｐｏや中間転写ベルトＢ等を回転駆動する。
【００４５】
Ｅ：電源回路
前記電源回路Ｅは、現像用の電源回路Ｅａ、帯電用の電源回路Ｅｂ、転写用の電源回路Ｅｃ、定着用の電源回路Ｅｄ等を有している。
Ｅａ：現像用の電源回路
現像用の電源回路Ｅａは、現像器Ｇｙ〜Ｇｏの現像ロールに現像電圧を印加する。
Ｅｂ：帯電用の電源回路
帯電用の電源回路Ｅｂは、帯電器ＣＣｙ〜ＣＣｏそれぞれに感光体Ｐｙ〜Ｐｏ表面を帯電させるための帯電電圧を印加する。
Ｅｃ：転写用の電源回路
転写用の電源回路Ｅｃは、一次転写ロールＴ１ｙ〜Ｔ１ｏや二次転写ロールＴ２ｂに転写電圧を印加する。
Ｅｄ：定着用の電源回路
定着用の電源回路Ｅｄは、定着装置Ｆの加熱ロールＦｈにヒータ加熱用の電力を供給する。
【００４６】
（プリンタの本体Ｕ１の制御部Ｃの機能）
プリンタの本体Ｕ１の制御部Ｃは、前記信号出力要素からの入力信号に応じた処理を実行して、前記各制御要素に制御信号を出力する機能を有している。すなわち、制御部Ｃは次の機能を有している。
Ｃ１：画像形成の制御手段
画像形成の制御手段Ｃ１は、パーソナルコンピュータＰＣから入力された画像情報に応じて、プリンタＵの各部材の駆動や各電圧の印加時期等を制御して、画像形成動作であるジョブを実行する。
Ｃ２：駆動源の制御手段
駆動源の制御手段Ｃ２は、主駆動源の駆動回路Ｄ１を介してメインモータＭ１の駆動を制御し、感光体Ｐｙ〜Ｐｏ等の駆動を制御する。
【００４７】
Ｃ３：電源制御手段
電源制御手段Ｃ３は、各電源回路Ｅａ〜Ｅｄを制御して、各部材へ印加される電圧や、各部材へ供給される電力を制御する。すなわち、実施例１の電源制御手段Ｃ３は、転写用の電源回路Ｅｃを制御して、コンタクトロールＴ２ｃを介して二次転写ロールＴ２ｂに印加される転写電圧の制御も行う。
Ｃ４：第１の振幅値の記憶手段
第１の振幅値の記憶手段Ｃ４は、２次転写電圧の設定を行う場合に使用する振幅値の第１の固定値の一例としての第１の振幅値Ｖｐｐ１を記憶する。実施例１の第１の振幅値の記憶手段Ｃ４は、第１の振幅値Ｖｐｐ１の一例として、Ｖｐｐ１＝１２［ｋＶ］を記憶する。
【００４８】
Ｃ５：第２の振幅値の記憶手段
第２の振幅値の記憶手段Ｃ５は、２次転写電圧の設定を行う場合に使用する振幅値の第２の固定値の一例としての第２の振幅値Ｖｐｐ２を記憶する。実施例１の第２の振幅値の記憶手段Ｃ５は、第１の振幅値Ｖｐｐ１とは異なる第２の振幅値Ｖｐｐ２の一例として、Ｖｐｐ２＝７［ｋＶ］を記憶する。
Ｃ６：直流電圧の変動範囲の記憶手段
直流電圧の変動範囲の記憶手段Ｃ６は、２次転写電圧の設定を行う場合に直流電流値を変動させる範囲を記憶する。実施例１の直流電圧の変動範囲の記憶手段Ｃ６は、直流電圧値Ｖｄｃを変動させる範囲として、−１．５［ｋＶ］から０．１［ｋＶ］刻みで−３．５［ｋＶ］までの範囲を記憶している。すなわち、実施例１では、２１段階で直流電圧値Ｖｄｃを変動させる。
【００４９】
図５は実施例１の転写電圧の設定用の画像の説明図である。
Ｃ７：設定画像の形成手段
設定画像の形成手段Ｃ７は、第１の単色画像の形成手段Ｃ７Ａと、第１の多色画像の形成手段Ｃ７Ｂと、第２の単色画像の形成手段Ｃ７Ｃと、第２の多色画像の形成手段Ｃ７Ｄと、を有し、２次転写電圧を設定するための設定画像１１を記録シートＳに形成する。図５において、実施例１の設定画像１１は、単色の第１の画像の一例としての２１個の第１の単色画像１２と、多色の第１の画像の一例としての２１個の第１の多色画像１３と、単色の第２の画像の一例としての２１個の第２の単色画像１４と、多色の第２の画像の一例としての２１個の第２の多色画像１５とを有する。各画像１２〜１５は、記録シートＳの幅方向に延びる短冊状の画像であり、短冊状の画像が、記録シートＳの搬送方向に沿って予め設定された間隔をあけて形成される。なお、実施例１では、第１の単色画像１２および第２の単色画像１４は、共に、Ｋ色のみを使用して印刷された単色画像で構成されている。一方、第１の多色画像１３および第２の多色画像１５は、共に、Ｙ，Ｍ，Ｃ，Ｋおよび透明（Ｏ）の色のトナーを使用して形成された多色画像で構成されている。
前記第１の単色画像１２および第１の多色画像１３により、実施例１の第１の画像１２＋１３が構成され、前記第２の単色画像１４および第２の多色画像１５により、実施例１の第２の画像１４＋１５が構成されている。
【００５０】
Ｃ７Ａ：第１の単色画像の形成手段
第１の単色画像の形成手段Ｃ７Ａは、第１の振幅値Ｖｐｐ１の交流電圧と、直流電圧ＶｄｃがバックアップロールＴ２ａに重畳された場合において、直流電圧Ｖｄｃが変化される度に第１の単色画像１２を形成する。実施例１の第１の単色画像の形成手段Ｃ７Ａでは、直流電圧Ｖｄｃが−１．５ｋＶの場合の画像が搬送方向の前から１番目の画像となり、−１．６ｋＶの場合の画像が２番目、−１．７ｋＶの場合の画像３番目、…、−３．５ｋＶの場合の画像が２１番目となる。
【００５１】
Ｃ７Ｂ：第１の多色画像の形成手段
第１の多色画像の形成手段Ｃ７Ｂは、第１の振幅値Ｖｐｐ１の交流電圧と、直流電圧Ｖｄｃが重畳された場合において、直流電圧Ｖｄｃが変化される度に第１の多色画像１３を形成する。実施例１の第１の多色画像の形成手段Ｃ７Ｂでは、第１の単色画像１２の幅方向に隣接して第１の多色画像１３を形成する。よって、第１の単色画像１２と同様に、直流電圧Ｖｄｃが−１．５ｋＶの場合の画像が搬送方向の前から１番目の画像となり、−３．５ｋＶの場合の画像が２１番目となる。
【００５２】
Ｃ７Ｃ：第２の単色画像の形成手段
第２の単色画像の形成手段Ｃ７Ｃは、第２の振幅値Ｖｐｐ２の交流電圧と、直流電圧ＶｄｃがバックアップロールＴ２ａに重畳された場合において、直流電圧Ｖｄｃが変化される度に第２の単色画像１４を形成する。実施例１の第２の単色画像の形成手段Ｃ７Ｃでは、第１の単色画像１２の搬送方向の下流側に続けて、第２の単色画像１４を形成する。なお、第２の単色画像１４は、第１の単色画像１２と同様であり、直流電圧Ｖｄｃが−１．５ｋＶの場合の画像が搬送方向の前から１番目の画像となり、−３．５ｋＶの場合の画像が２１番目となる。
【００５３】
Ｃ７Ｄ：第２の多色画像の形成手段
第２の多色画像の形成手段Ｃ７Ｄは、第２の振幅値Ｖｐｐ２の交流電圧と、直流電圧Ｖｄｃが重畳された場合において、直流電圧Ｖｄｃが変化される度に第２の多色画像１５を形成する。実施例１の第２の多色画像の形成手段Ｃ７Ｄでは、第２の単色画像１４の幅方向に隣接し且つ第１の多色画像１３の搬送方向の下流側に続けて第２の多色画像１５を形成する。よって、第２の多色画像１５も、第２の単色画像１４と同様に、直流電圧Ｖｄｃが−１．５ｋＶの場合の画像が搬送方向の前から１番目の画像となり、−３．５ｋＶの場合の画像が２１番目となる。
【００５４】
図６は実施例１の入力画像の説明図である。
Ｃ８：入力画像の表示手段
入力画像の表示手段Ｃ８は、２次転写電圧の設定を行う場合に、表示パネルＵＩ２に入力画像２１〜２４を表示する。図６において、実施例１の入力画像２１〜２４は、番号入力欄２１ａ〜２４ａと、決定ボタン２１ｂ〜２４ｂを有する。なお、実施例１では、設定画像１１が印刷された場合に、第１の単色画像１２用の入力画像２１を表示パネルＵＩ２に表示する。そして、第１の単色画像用の入力画像２１で決定ボタン２１ｂが入力された場合に、第１の多色画像用の入力画像２２が表示される。同様にして、第２の単色画像用の入力画像２３、第２の多色画像用の入力画像２４の順に遷移する。
【００５５】
Ｃ９：第１の単色値の取得手段
第１の単色値の取得手段Ｃ９は、第１の単色画像の形成手段Ｃ７Ａで形成された複数の第１の単色画像１２の中から、第１情報の一例として、画質が許容される限界の第１の単色画像１２に対応する振幅値Ｖｐｐ１および直流電圧値Ｖｄｃ１を有する第１の単色値（Ｖｄｃ１，Ｖｐｐ１）を取得する。実施例１の第１の単色値の取得手段Ｃ９は、画質が許容される限界の第１の単色画像１２の数値が、第１の単色画像用の入力画像２１から入力された場合に、入力された数値に応じた第１の単色値（Ｖｄｃ１，Ｖｐｐ１）を取得する。一例として、入力画像２１に、「８」が入力された場合は、直流電圧値Ｖｄｃの８番目の値に対応する−２．２ｋＶを、直流電圧値Ｖｄｃ１とし、第１の振幅値１２ｋＶを振幅値Ｖｐｐ１とする第１の単色値（Ｖｄｃ１，Ｖｐｐ１）を取得する。
【００５６】
Ｃ１０：第１の多色値の取得手段
第１の多色値の取得手段Ｃ１０は、第１の多色画像の形成手段Ｃ７Ｂで形成された複数の第１の多色画像１３の中から、第１情報の一例として、画質が許容される限界の第１の多色画像１３に対応する振幅値Ｖｐｐ１および直流電圧値Ｖｄｃ２を有する第１の多色値（Ｖｄｃ２，Ｖｐｐ１）を取得する。実施例１の第１の多色値の取得手段Ｃ１０は、第１の単色値の取得手段Ｃ９と同様に、入力画像２２に入力された値に応じた第１の多色値（Ｖｄｃ２，Ｖｐｐ１）を取得する。
【００５７】
Ｃ１１：第２の単色値の取得手段
第２の単色値の取得手段Ｃ１１は、第２の単色画像の形成手段Ｃ７Ｃで形成された複数の第２の単色画像１４の中から、第２情報の一例として、画質が許容される限界の第２の単色画像１４に対応する振幅値Ｖｐｐ２および直流電圧値Ｖｄｃ３を有する第２の単色値（Ｖｄｃ３，Ｖｐｐ２）を取得する。実施例１の第２の単色値の取得手段Ｃ１１は、第１の単色値の取得手段Ｃ９と同様に、入力画像２３から入力された数値に応じた第２の単色値（Ｖｄｃ３，Ｖｐｐ２）を取得する。
【００５８】
Ｃ１２：第２の多色値の取得手段
第２の多色値の取得手段Ｃ１２は、第２の多色画像の形成手段Ｃ７Ｄで形成された複数の第２の多色画像１５の中から、第２情報の一例として、画質が許容される限界の第２の多色画像１５に対応する振幅値Ｖｐｐ２および直流電圧値Ｖｄｃ４を有する第２の多色値（Ｖｄｃ４，Ｖｐｐ２）を取得する。実施例１の第２の多色値の取得手段Ｃ１２は、第１の単色値の取得手段Ｃ９と同様に、入力画像２４から入力された数値に応じた第２の多色値（Ｖｄｃ４，Ｖｐｐ２）を取得する。
【００５９】
図７は実施例１の転写電圧の設定方法の説明図である。
Ｃ１３：転写電圧の設定手段
転写電圧の設定手段Ｃ１３は、単色直線の演算手段Ｃ１３Ａと、多色直線の演算手段Ｃ１３Ｂと、交点の演算手段Ｃ１３Ｃと、余裕の記憶手段Ｃ１３Ｄと、を有し、転写電圧の一例として、２次転写器Ｔ２に印加する２次転写電圧を設定する。実施例１の転写電圧の設定手段Ｃ１３は、２次転写電圧における交流電圧のピーク間電圧値Ｖｐｐと、直流電圧値Ｖｄｃとを設定する。すなわち、交番バイアスの波形形状に関連するピーク間電圧値Ｖｐｐと、直流バイアス値Ｖｄｃとを設定する。
【００６０】
Ｃ１３Ａ：単色直線の演算手段
単色直線の演算手段Ｃ１３Ａは、第１の単色値（Ｖｄｃ１，Ｖｐｐ１）と第２の単色値（Ｖｄｃ３，Ｖｐｐ２）とに基づいて、単色直線Ｌ１を演算する。実施例１の単色直線の演算手段Ｃ１３Ａは、第１の単色値（Ｖｄｃ１，Ｖｐｐ１）と第２の単色値（Ｖｄｃ３，Ｖｐｐ２）の２点を通過する直線を単色直線Ｌ１として演算する。実施例１では、横軸（Ｘ軸）に直流電圧値を取り、縦軸（Ｙ軸）にピーク間電圧値を取ったグラフにおいて、Ｌ１：Ｙ＝｛（Ｖｐｐ１−Ｖｐｐ２）／（Ｖｄｃ１−Ｖｄｃ３）｝（Ｘ−Ｖｄｃ１）＋Ｖｐｐ１、で演算される。
【００６１】
Ｃ１３Ｂ：多色直線の演算手段
多色直線の演算手段Ｃ１３Ｂは、第１の多色値（Ｖｄｃ２，Ｖｐｐ１）と第２の多色値（Ｖｄｃ４，Ｖｐｐ２）とに基づいて、多色直線Ｌ２を演算する。実施例１の多色直線の演算手段Ｃ１３Ｂは、第１の多色値（Ｖｄｃ２，Ｖｐｐ１）と第２の多色値（Ｖｄｃ４，Ｖｐｐ２）の２点を通過する直線を多色直線Ｌ２として演算する。実施例１では、横軸（Ｘ軸）に直流電圧値を取り、縦軸（Ｙ軸）にピーク間電圧値を取ったグラフにおいて、Ｌ２：Ｙ＝｛（Ｖｐｐ１−Ｖｐｐ２）／（Ｖｄｃ２−Ｖｄｃ４）｝（Ｘ−Ｖｄｃ２）＋Ｖｐｐ１、で演算される。
【００６２】
Ｃ１３Ｃ：交点の演算手段
交点の演算手段Ｃ１３Ｃは、単色直線Ｌ１と多色直線Ｌ２との交点Ｐ１（Ｖｄｃ５，Ｃｐｐ５）を演算する。
Ｃ１３Ｄ：余裕の記憶手段
余裕の記憶手段Ｃ１３Ｄは、２次転写電圧を設定する際の余裕の一例としてのマージンを記憶する。実施例１では、設定画像１１における電圧の刻み幅が０．１ｋＶであることから、０．１ｋＶ以内のズレ精度で最適バイアスを判断できると考え、マージンＬ３の一例として、「交点Ｐ１から−０．１ｋＶｐｐ」を記憶している。
【００６３】
したがって、実施例１の転写電圧の設定手段Ｃ１３は、単色直線の演算手段Ｃ１３Ａで演算された単色直線Ｌ１と、多色直線の演算手段Ｃ１３Ｂで演算された多色直線Ｌ２とから、交点の演算手段Ｃ１３Ｃで交点Ｐ１を演算して、マージンＬ３を考慮して、２次転写電圧を設定する。実施例１では、一例として、電源回路Ｅが、直流電圧値Ｖｄｃやピーク間電圧値Ｖｐｐを０．１ｋＶ刻みで設定可能である場合に、図７に示すように、一例として、交点Ｐ１の値で、Ｖｄｃ５の小数点２桁以下の値を切り上げ、Ｖｐｐ５の小数点２桁以下の値を切り捨てた値が、３つの直線Ｌ１〜Ｌ３で囲まれた範囲に含まれる場合には、その値を２次転写電圧に設定する。なお、３つの直線Ｌ１〜Ｌ３で囲まれた範囲に含まれない場合は、Ｖｄｃ５を切り上げた値に０．１ｋｖを加算した値、または、Ｖｐｐ５を切り捨てた値から０．１ｋｖを減算した値が、３つの直線Ｌ１〜Ｌ３で囲まれた範囲に含まれるかを判定し、含まれない場合は、同様の処理を繰り返して、２次転写電圧を設定する。
【００６４】
（実施例１の流れ図の説明）
次に、実施例１のプリンタＵにおける制御の流れを流れ図、いわゆるフローチャートを使用して説明する。
【００６５】
（転写電圧設定処理のフローチャートの説明）
図８は実施例１の転写電圧設定処理のフローチャートの説明図である。
図８のフローチャートの各ステップＳＴの処理は、前記プリンタＵの制御部Ｃに記憶されたプログラムに従って行われる。また、この処理はプリンタＵの他の各種処理と並行して実行される。
図８に示すフローチャートはプリンタＵの電源投入により開始される。
【００６６】
図８のＳＴ１において、転写電圧設定開始の入力が開始されたか否か、すなわち、転写電圧の設定開始ボタンＵＩ５の入力がされたか否かを判別する。イエス（Ｙ）の場合はＳＴ２に進む。ノー（Ｎ）の場合はＳＴ１を繰り返す。
ＳＴ２において、設定画像１１をプリントアウトする。そして、ＳＴ３に進む。
ＳＴ３において、表示パネルＵＩ２に入力画像２１を表示する。そして、ＳＴ４に進む。
ＳＴ４において、入力画像２１〜２４に決定の入力がされたか否かを判別する。イエス（Ｙ）の場合はＳＴ５に進み、ノー（Ｎ）の場合はＳＴ４を繰り返す。
ＳＴ５において、画質が許容される限界の画像の数値が全ての入力されたか否か、すなわち、第２の多色画像用の入力画像２４における入力が行われたか否かを判別する。ノー（Ｎ）の場合はＳＴ６に進み、イエス（Ｙ）の場合はＳＴ７に進む。
【００６７】
ＳＴ６において、次の入力画像２２〜２４を表示パネルＵＩ２に表示する。そして、ＳＴ４に戻る。
ＳＴ７において、入力画像２１〜２４に応じた第１の単色値（Ｖｄｃ１，Ｖｐｐ１）、第１の多色値（Ｖｄｃ２，Ｖｐｐ１）、第２の単色値（Ｖｄｃ３，Ｖｐｐ２）および第２の多色値（Ｖｄｃ４，Ｖｐｐ２）を取得する。そして、ＳＴ８に進む。
ＳＴ８において、単色直線Ｌ１と多色直線Ｌ２の交点Ｐ１を演算し、２次転写電圧を設定する。そして、ＳＴ１に戻る。
【００６８】
（実施例１の転写電圧設定処理の機能）
前記構成を備えた実施例１のプリンタＵでは、２次転写電圧の設定処理が開始されると、印刷された設定画像１１に基いて入力された入力値に応じて、第１の単色値（Ｖｄｃ１，Ｖｐｐ１）、第１の多色値（Ｖｄｃ２，Ｖｐｐ１）、第２の単色値（Ｖｄｃ３，Ｖｐｐ２）および第２の多色値（Ｖｄｃ４，Ｖｐｐ２）が取得され、単色直線Ｌ１と、多色直線Ｌ２の交点Ｐ１から２次転写電圧が設定される。
【００６９】
和紙やエンボス紙等の凹凸の多い媒体に印刷を行う場合、単色の印刷では、４色分積層される多色に比べて、トナー層の厚さが薄く、トナー層の電気的な抵抗が小さくなる。よって、単色直線Ｌ１よりもグラフの原点から遠い側、すなわち、電圧が高くなると、放電が発生しやすくなり、放電による画像欠陥が発生しやすい問題がある。
また、多色の印刷では、トナー層が厚く、転写させるトナー量が多くなる。よって、多色直線Ｌ２よりもグラフの原点に近い側、すなわち、転写電圧が低くなると、転写不足から、濃度不足が発生する恐れがある。よって、単色直線Ｌ１よりも原点に近く、且つ、多色直線Ｌ２よりも原点から遠い領域内で転写電圧を設定する必要がある。
【００７０】
図９は従来の転写電圧の設定方法の説明図である。
特許文献１，２に記載のように、直流電圧値とピーク間電圧値を網羅的に測定する場合、時間と手間がかかり面倒であるという問題がある。一方、特許文献１に記載されているように、直流電圧値の適正値を導出した後に直流電圧値の適正値を使用してピーク間電圧値の適正値を導出する方法では、図９に示すように、ピーク間電圧値をある値０１に固定した状態で直流電圧値の適正値０２を導出し、直流電圧値の適正値０２を使用して、ピーク間電圧値の適正値０３を導出することとなる。よって、直流電圧値およびピーク間電圧値の最適値である単色直線Ｌ１と多色直線Ｌ２の交点Ｐ１とは異なる値が設定されることになる。すなわち、特許文献１に記載の方法では、直流電圧値およびピーク間電圧値を、精度よく設定することが困難である。
【００７１】
これに対して、実施例１では、単色直線Ｌ１と、多色直線Ｌ２の交点Ｐ１に基いて２次転写電圧が設定されており、特許文献１に記載の方法に比べて、直流電圧値およびピーク間電圧値を、精度よく設定することが可能である。また、取得する値も、第１の単色値（Ｖｄｃ１，Ｖｐｐ１）、第１の多色値（Ｖｄｃ２，Ｖｐｐ１）、第２の単色値（Ｖｄｃ３，Ｖｐｐ２）および第２の多色値（Ｖｄｃ４，Ｖｐｐ２）の４点で済み、網羅的に測定する場合に比べて、簡易で短時間に行うことも可能である。
【００７２】
（実験例）
次に、実施例１の効果を確認するための実験を行った。実験は、富士ゼロックス株式会社製のColor 1000 Press  を改造して行った。環境条件は、温度２２度、湿度５５％で行った。記録シートとして、エンボス紙を使用した。Ｖｐｐ１、Ｖｐｐ２、Ｖｄｃ等は、実施例１と同様にした。
実験結果を図１０に示す。
【００７３】
図１０は実験結果の説明図である。
図１０において、７ｋＶｐｐの多色印刷では、Ｖｄｃ＝−２．３ｋＶであった。よって、第２の多色値（Ｖｄｃ４，Ｖｐｐ２）＝（−２．２ｋＶ，７ｋＶｐｐ）となった。同様にして、第２の単色値（Ｖｄｃ３，Ｖｐｐ２）＝（−３．０ｋＶ，７ｋＶｐｐ）、第１の多色値（Ｖｄｃ２，Ｖｐｐ１）＝（−２．０ｋＶ，１２ｋＶｐｐ）、第１の単色値（Ｖｄｃ１，Ｖｐｐ１）＝（−２．３ｋＶ，１２ｋＶｐｐ）となる。
よって、単色直線Ｌ１は、以下の式（１）となる。
Ｌ１：Ｙ＝７．１４×１０３×Ｘ＋２８．４３×１０３  …式（１）
また、多色直線Ｌ２は、以下の式（２）となる。
Ｌ２：Ｙ＝２５．００×１０３×Ｘ＋６２．００×１０３  …式（２）
【００７４】
よって、式（１）、式（２）から、交点Ｐ１は、Ｐ１＝（１．８８ｋＶ，１５．００ｋＶｐｐ）となる。
確認として、１．８８ｋＶｄｃ、１５ｋＶｐｐに設定して、エンボス紙に出力を行った所、エンボス紙の凸部分は多色、単色共に濃度が許容できるレベルで確保され、且つ、エンボス紙の凹部分の評価も許容レベルであった。よって、効果が確認された。
【実施例２】
【００７５】
図１１は実施例２の画像形成装置の制御部の説明図であり、実施例１の図４に対応する図である。
次に本発明の実施例２の説明をするが、この実施例２の説明において、前記実施例１の構成要素に対応する構成要素には同一の符号を付して、その詳細な説明は省略する。
この実施例２は下記の点で、前記実施例１と相違しているが、他の点では前記実施例１と同様に構成される。
【００７６】
図１２は交番電圧の説明図であり、図１２Ａは実施例２で使用する矩形波状の交番電圧の説明図、図１２Ｂは実施例１で使用した正弦波状の交番電圧の説明図、図１２Ｃは三角波の説明図、図１２Ｄはノコギリ波の説明図である。
図１１において、実施例２のプリンタＵの制御部Ｃでは、実施例１の制御部Ｃの直流電圧の変動範囲の記憶手段Ｃ６に替えて、波形幅の変動範囲の記憶手段の一例としてのデューティー比の変動範囲の記憶手段Ｃ６′を有する。
実施例２のデューティー比の変動範囲の記憶手段Ｃ６′は、交番電圧の正の側の矩形波部分と、負の側の矩形波部分との時間的な割合であるデューティー比の変動範囲を記憶する。実施例２では、交番バイアスの一例として、図１２Ａに示すような矩形波３１を使用する。
【００７７】
実施例１で使用した図１２Ｂに示すような正弦波では、振幅Ｖｐｐと、周期（周波数）しか調整することが困難であったが、矩形波３１では、振幅Ｖｐｐと周期Ｔに加えて、１周期内でも正の側の矩形波部分３１ａと負の側の矩形波部分３１ｂとの時間的な比率であるデューティー比も制御可能である。デューティー比を変化させて、正の側３１ａの比率を大きくすると、図１２Ａにおける正の側の面積３２ａが、負の側の面積３２ｂよりも大きくなり、全体として、Ｖｄｃを＋側に変更したことと同様となる。逆に、負の側３１ｂの比率を大きくすると、全体として、Ｖｄｃを−側に変更したことと同様となる。よって、デューティー比を変更することで、実質的に、実施例１において、直流電圧値Ｖｄｃを変更したことと同様の結果が得られる。なお、実施例２では、直流電圧値Ｖｄｃは、一例として−２．０ｋＶに固定している。
【００７８】
よって、実施例１において直流電圧値Ｖｄｃを変更していたものが、実施例２では、交番バイアスの波形形状に関連するパラメータであるデューティー比を変更することに代わるだけで、同様の処理が行われる。すなわち、設定画像１１を形成したり、単色直線Ｌ１、多色直線Ｌ２の導出、交点Ｐ１の演算等も同様に行われる。よって、ブロック図の説明やフローチャートの説明は、簡略化のため、省略する。
【００７９】
（実施例２の作用）
前記構成を備えた実施例２のプリンタＵでは、実施例１と同様に、単色直線Ｌ１と、多色直線Ｌ２の交点Ｐ１に基いて２次転写電圧が設定される。よって、従来技術に比べて、直流電圧値およびピーク間電圧値を、精度よく設定することが可能であると共に、網羅的に測定する場合に比べて、簡易で短時間に行うことも可能である。
なお、実施例１では、図１２Ｂに示す正弦波を使用し、実施例２では、図１２Ａに示す矩形波を使用したが、これらに替えて、交番電圧の一例として、図１２Ｃに示す三角波状の交番電圧や、図１２Ｄに示すノコギリ波状の交番電圧を使用することも可能である。
【００８０】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）前記実施例において、画像形成装置の一例としてのプリンタＵを例示したが、これに限定されず、例えば、複写機、ＦＡＸ、あるいはこれらの複数または全ての機能を有する複合機等により構成することも可能である。
（Ｈ02）前記実施例において、プリンタＵとして、５色の現像剤が使用される構成を例示したが、これに限定されず、例えば、４色以下または６色以上の多色の画像形成装置にも適用可能である。
【００８１】
（Ｈ03）前記実施例において、例示した具体的な数値やパラメータに関しては、設計や仕様等に応じて任意に変更可能である。すなわち、直流電圧値Ｖｄｃを変動させる幅を１００Ｖから変更可能である。また、第１の振幅値Ｖｐｐ１と第２の振幅値Ｖｐｐ２とは、５ｋＶｐｐの差がある場合を例示したが、これに限定されないが、２つの直線Ｌ１，Ｌ２を演算する関係上、３ｋＶｐｐ程度以上は差があったほうが好ましい。また、マージンＬ３についても、任意に変更可能であり、マージンをゼロとすることも可能である。
【００８２】
（Ｈ04）前記実施例において、設定画像１１として、１枚の記録シートＳに４種類の画像１２〜１５を形成する構成を例示したがこれに限定されない。例えば、１枚の記録シートＳに画像１２，１３を印刷し、別の１枚の記録シートＳに画像１４，１５を印刷することも可能である。なお、このとき、画像１２，１３が印刷された記録シートＳが印刷、出力されると、第１の単色値および第１の多色値の入力を受け付け、第１の単色値および第１の多色値が入力された後に、画像１４，１５が印刷された記録シートＳを印刷、出力して、第２の単色値および第２の多色値の入力を受け付けるようにすることも可能である。
他にも、１枚の記録シートＳに１種類の画像１２〜１５を印刷して、合計４枚出力することも可能である。この場合も、１枚印刷する度に、値の入力を受け付ける構成とすることも可能であるし、２枚印刷する度に値の入力を受け付けたり、全て印刷してから入力を受け付けるようにする事が可能である。
【００８３】
（Ｈ05）前記実施例において、単色直線Ｌ１や多色直線Ｌ２を演算する場合に、それぞれ、２つの点を使用して演算する構成を例示したが、これに限定されない。例えば、３つずつ値を取得して、最小二乗近似で各直線Ｌ１，Ｌ２を導出することも可能である。
【００８４】
（Ｈ06）前記実施例において、ピーク間電圧ＶｐｐをＶｐｐ１，Ｖｐｐ２に固定した状態で、直流電圧値Ｖｄｃを変更する構成を例示したが、これに限定されない。例えば、直流電圧値Ｖｄｃを２つの値のいずれかに固定し、ピーク間電圧Ｖｐｐを変動させて、４つの値を取得する構成とすることも可能である。
（Ｈ07）前記実施例において、バイアス値の一例として電圧値を使用する構成を例示したが、電流値を使用することも可能である。
【符号の説明】
【００８５】
１２…第１の単色画像、
１２＋１３…第１の画像、
１３…第１の多色画像、
１４…第２の単色画像、
１４＋１５…第２の画像、
１５…第２の多色画像、
Ｂ…像保持体、
Ｃ３…電源制御手段、  
Ｃ７Ｂ…第１の多色画像の形成手段、
Ｃ７Ｃ…第２の単色画像の形成手段、
Ｃ７Ｄ…第２の多色画像の形成手段、
Ｃ８…入力画像の表示手段、
Ｃ９…第１の単色値の取得手段、
Ｃ１０…第１の多色値の取得手段、
Ｃ１１…第２の単色値の取得手段、
Ｃ１２…第２の多色値の取得手段、
Ｃ１３…転写電圧の設定手段、
Ｌ１…単色直線、
Ｌ２…多色直線、
Ｐ１…交点、
Ｓ…媒体、
Ｔ２…転写器、
ＵＩ２…表示部、
ＵＩ３…入力部、
Ｖｄｃ…直流バイアス値、
（Ｖｄｃ２，Ｖｐｐ１）…第１の多色値、
（Ｖｄｃ３，Ｖｐｐ２）…第２の単色値、
（Ｖｄｃ４，Ｖｐｐ２）…第２の多色値、
Ｖｐｐ…振幅値。
【図１】
0006679842.tif 000002
【図２】
0006679842.tif 000003
【図３】
0006679842.tif 000004
【図４】
0006679842.tif 000005
【図５】
0006679842.tif 000006
【図６】
0006679842.tif 000007
【図７】
0006679842.tif 000008
【図８】
0006679842.tif 000009
【図９】
0006679842.tif 000010
【図１０】
0006679842.tif 000011
【図１１】
0006679842.tif 000012
【図１２】
0006679842.tif 000013